(57)【要約】      （修正有）【課題】製造コストを上げることなく、究極的に平坦度を上げて応援グッズとしての価値を高めた団扇を提供する。【解決手段】隙間の無い平坦なプラスチック板で形成され、表裏面ほぼ全域に紙面を貼着可能な貼着面を設けた本体部と、本体部に連続する取手部と、で構成される。貼着面の板厚Ｔは、０．９ｍｍ≦Ｔ≦１．８ｍｍであって、板厚Ｔの最大偏差ΔＴが０．３ｍｍ以下であり、貼着面を評価するために任意位置に直径５ｃｍの評価円を想定した場合に、評価円の直径ラインである表面側ラインと、これに対応する裏面側ラインの最大偏差が、各々０．２ｍｍ以下に設定されている。【選択図】図１
0003183810.tif 000002
【実用新案登録請求の範囲】
【請求項１】
隙間の無い平坦なプラスチック板で形成され、やや肉薄の先端側からやや肉厚の基端側まで、その表裏面ほぼ全域に紙面を貼着可能な貼着面を設けた本体部と、本体部の基端側に連続して真っ直ぐに延びる取手部と、を有して構成され、
前記本体部の最小板厚は、０．６ｍｍ≦Ｔ≦１．２ｍｍに形成され、
取手部の幅方向の中心線を本体部に延長させた評価線を想定した場合に、本体部の貼着面の表裏面に想定される２本の評価線は、本体部の先端部から基端部に向けて０．２５°〜０．５０°の傾斜角で広がっており、
貼着面を評価するために任意位置に直径５ｃｍの評価円を想定した場合に、評価円の直径ラインである表面側ラインと、これに対応する裏面側ラインの最大偏差が、各々、０．２ｍｍ以下に設定されている応援団扇。
【請求項２】
隙間の無い平坦なプラスチック板で形成された本体部と、本体部の基端側に連続して真っ直ぐに延びる取手部と、本体部の外側に広がる骨格部と、を有して構成され、
やや肉薄の先端側からやや肉厚の基端側まで、本体部及び骨格部の表裏面ほぼ全域に紙面を貼着可能な貼着面が設けられ、
前記本体部及び骨格部の最小板厚は、０．６ｍｍ≦Ｔ≦１．２ｍｍに形成され、
取手部の幅方向の中心線を本体部に延長させた評価線を想定した場合に、本体部の貼着面の表裏面に想定される２本の評価線は、本体部の先端部から基端部に向けて０．２５°〜０．５０°の傾斜角で広がっており、
貼着面を評価するために任意位置に直径５ｃｍの評価円を想定した場合に、評価円の直径ラインである表面側ラインと、これに対応する裏面側ラインの最大偏差が、各々、０．２ｍｍ以下に設定されている応援団扇。
【請求項３】
本体部の表面側と裏面側の評価線は、取手部の表面に対して、ほぼ同一の傾斜角を形成している請求項１又は２に記載の応援団扇。
【請求項４】
本体部の表面側と裏面側の評価線は、取手部の表面に対して、異なる傾斜角を形成している請求項１又は２に記載の応援団扇。
【請求項５】
ポリプロピレンで一体成型されて製造されている請求項１〜３の何れかに記載の応援団扇。
【請求項６】
表面側及び／又は裏面側の貼着面には、顔写真などを描いた紙面が貼着されており、
顔の表情を表示する紙面に想定する評価円について、その直径ラインの最大偏差が、０．２ｍｍ以下に設定されている請求項１〜５の何れかに記載の応援団扇。
【考案の詳細な説明】
【技術分野】
【０００１】
本考案は、アイドルの顔写真などを表示した団扇形状のグッズであり、コンサート会場などで出演者を盛り上げるために使用される。
【背景技術】
【０００２】
例えば、人気アイドルグループのコンサート会場の観客は、登場するアイドルの写真が印刷された団扇を振ることで、自己アピールしつつ、お気に入りのアイドルを応援するのが一般的である。
【０００３】
このような場所で使用される団扇は、プラスチック製の基体に、アイドルの顔写真などを印刷した表面紙を貼着して構成されている。そして、プラスチック製の基体は、一般に、使用者が手に持つ把持部と、把持部から放射状に延びる複数本の骨格と、骨格の先端を円環状に接続する外周部と、を有して一体成形されている（特許文献１〜特許文献３）。
【先行技術文献】
【特許文献】
【０００４】
【特許文献１】登録実用新案  第３０２９３９８号公報
【特許文献２】実用新案登録  第２５５３４７１号公報
【特許文献３】実用新案登録  第３１６８３７３号公報
【考案の概要】
【考案が解決しようとする課題】
【０００５】
一般に、このような団扇は、隣接する骨格の隙間が空隙となっているので、プレス加工によって表面紙を貼着すると、表面紙が骨格の部分でやや隆起して全体として波打ってしまう。そのため、折角のアイドルの顔写真も、その表情が不自然なものとなり、その価値がやや減殺されてしまうという問題があった。そこで、本考案者は、先に、平坦な印刷表面を達成できる団扇を提案している（特許文献３）。
【０００６】
しかし、製造コストを上げることなく、更に、平坦度の高い団扇が望まれるところである。
【０００７】
本考案は、上記の問題点に鑑みてなされたものであって、製造コストを上げることなく、究極的に平坦度を上げて応援グッズとしての価値を高めた団扇を実現することを目的とする。
【課題を解決するための手段】
【０００８】
上記の目的を達成するため、本考案者が種々の検討を重ねた結果、
（１）骨格の無い従来のプラスチック団扇のように、団扇本体を同一の板厚にするのではなく、所定の板厚の範囲内で、団扇の手元から先端に向けて直線的に薄くすることで、反りや歪みのない平坦性を実現できること、
（２）この場合、完全な平坦面を追及しなくても、所定（直径５ｃｍ程度の仮想円）の範囲内で平坦性が維持されれば、貼着面に現れる表情や姿勢に何らの違和感も生じないこと、
（３）また、必ずしも、完全に骨格を消滅させる必要はなく、貼着面に現れる表情や姿勢に対応して、必要な中央部分だけ上記の平坦性を維持すれば良いこと、
を見出して本考案を完成させた。
【０００９】
すなわち、請求項１に係る応援団扇は、隙間の無い平坦なプラスチック板で形成され、やや肉薄の先端側からやや肉厚の基端側まで、その表裏面ほぼ全域に紙面を貼着可能な貼着面を設けた本体部と、本体部の基端側に連続して真っ直ぐに延びる取手部と、を有して構成され、前記本体部の最小板厚は、０．６ｍｍ≦Ｔ≦１．２ｍｍに形成され、取手部の幅方向の中心線を本体部に延長させた評価線を想定した場合に、本体部の貼着面の表裏面に想定される２本の評価線は、本体部の先端部から基端部に向けて０．２５°〜０．５０°の傾斜角で広がっており、貼着面を評価するために任意位置に直径５ｃｍの評価円を想定した場合に、評価円の直径ラインである表面側ラインと、これに対応する裏面側ラインの最大偏差が、各々、０．２ｍｍ以下に設定されている。
【００１０】
また、請求項２に係る応援団扇は、隙間の無い平坦なプラスチック板で形成された本体部と、本体部の基端側に連続して真っ直ぐに延びる取手部と、本体部の外側に広がる骨格部と、を有して構成され、やや肉薄の先端側からやや肉厚の基端側まで、本体部及び骨格部の表裏面ほぼ全域に紙面を貼着可能な貼着面が設けられ、前記本体部及び骨格部の最小板厚は、０．６ｍｍ≦Ｔ≦１．２ｍｍに形成され、取手部の幅方向の中心線を本体部に延長させた評価線を想定した場合に、本体部の貼着面の表裏面に想定される２本の評価線は、本体部の先端部から基端部に向けて０．２５°〜０．５０°の傾斜角で広がっており、貼着面を評価するために任意位置に直径５ｃｍの評価円を想定した場合に、評価円の直径ラインである表面側ラインと、これに対応する裏面側ラインの最大偏差が、各々、０．２ｍｍ以下に設定されている。
【００１１】
上記した各考案は、紙を貼着可能な貼着面を設けた本体部が、隙間の無い平坦なプラスチック板で形成されているので、中央部に骨格部分を有する団扇のような凹凸が生じず、アイドルなどの顔写真が不自然に変形するおそれがない。しかも、本体部の貼着面の表裏面に想定される２本の評価線は、本体部の先端部から基端部に向けて０．２５°〜０．５０°の傾斜角で広がっているので、団扇としての適宜なしなりを維持しつつ、反りや歪を解消することができる。
【００１２】
また、任意位置に直径５ｃｍの評価円を想定した場合に、評価円の直径ラインである表面側ラインと、これに対応する裏面側ラインの最大偏差（ΔＬ１，ΔＬ２）が、各々、０．２ｍｍ以下であるので、貼着面に貼着される印刷物が表示する表情や姿勢に何らの違和感も生じない。なお、この最大偏差（ΔＬ１，ΔＬ２≦０．２ｍｍ）は、プラスチック貼着面で評価されるが、好ましくは、貼着面に紙面を貼着した状態でも、最大偏差０．２ｍｍ以下の平坦性を維持するのが好ましい。ただし、印刷紙面については、表情部分だけが平坦であれば良く、星や砂などのアクセサリー模様を重ね印刷して立体化しても良いのは勿論である。
【００１３】
図１（ａ）は、プラスチック本体部と、取手部と、取手部の中心線を本体部に延長させた評価線と、任意位置に想定される評価円との関係を図示したものである。
【００１４】
図１（ｂ）や図１（ｃ）に示すように、本体部の貼着面の表裏面に想定される２本の評価線は、本体部の先端部から基端部に向けて傾斜角２θで広がっている。
【００１５】
ここで、本体部の体部の最小板厚ΔＴｍｉｎと、最大板厚ΔＴｍａｘとは、１：２程度の比率であるのが好適であり、基端から先端までの最短距離Ｄとの比率を含めると、１：２：１５０程度とするのが好ましい。
【００１６】
このような場合、貼着面の表裏面に想定される２本の評価線は、図１（ｂ）のように双方とも同一角度θで傾斜しているのが典型的であるが、何ら限定されず、例えば、図１（ｃ）のように、一方の評価線が他方の評価線に対して傾斜角２θで傾斜していても良い。
【００１７】
図１（ｂ）に示す典型例の場合、ΔＴｍｉｎ：ΔＴｍａｘ：Ｄ＝１：２：１５０であれば、ｔａｎ（θ）＝０．５／１５０となり（図１（ｅ）参照）、傾斜角度２θは、ほぼ１／１５０ラジアン≒０．３８°となる。
【００１８】
一方、図１（ｄ）に示す変更例の場合、ΔＴｍｉｎ：ΔＴｍａｘ：Ｄ＝１：２：１５０であれば、ｔａｎ（Φ）＝１／１５０となり（図１（ｄ）参照）、角度Φがほぼ１／１５０ラジアン≒０．３８°となる。ここで、図１（ｄ）の姿勢から、反時計方向にΦ／２程度回転させると、図１（ｅ）の形状にほぼ一致するので、本考案では、この場合もΦ＝２θであると評価している（図１（ｃ）参照）。
【００１９】
このような意味において、本考案では、本の評価線は、本体部の先端部から基端部に向けて０．２５°〜０．５０°の傾斜角で広がっており、団扇としての適宜なしなりを維持しつつ、反りや歪を解消している。
【００２０】
図２は、評価円における直径ラインの最大偏差ΔＬ１，ΔＬ２を説明する図面であり、プラスチック本体部の貼着面のうねりを誇張して図示している。図示の通り、本考案の団扇は、評価円の直径線である表面側ラインの最大偏差ΔＬ１は、０．２ｍｍ以下であり、貼着面のうねりや反りが抑制されている。なお、この点、裏面側ラインの最大偏差ΔＬ２についても同様である。
【００２１】
板厚の計測や、直径線（表面側ラインや裏面側ライン）の偏差の計測は適宜であるが、例えば、図２（ｂ）に示すように、プラスチック本体部の貼着面に向けて傾斜してレーザ光を放射する放射部と、貼着面からの正反射光を受ける受光面（受光位置検出面）とを有するレーザ変位計が使用される。図示の通り、一方のレーザ変位計は、プラスチック本体部（貼着面）の表面側に配置され、他方のレーザ変位計は、プラスチック本体部の裏面側に配置される。
【００２２】
このようにレーザ変位計を配置した場合、プラスチック本体部の貼着表面が変位することに対応して、正反射光の受光位置が変位するので（矢印参照）、受光位置に基づいて、レーザ変位計と貼着表面との離間距離を計測することができる。具体的には、表面側に配置したレーザ変位計と貼着表面の離間距離がＬ１と計測され、裏面側に配置したレーザ変位計との貼着裏面との離間距離がＬ２と計測される場合、２つのレーザ変位計の離間距離Ｄとの関係で、応援団扇の板厚Ｔは、Ｔ＝Ｄ−（Ｌ１＋Ｌ２）と正確に算出することができる。
【００２３】
そして、プラスチック本体部、又は、２つのレーザ変位計を、評価円の直径線方向（図示の左右方向）に移動させることで、表面側ラインと、これに対応する裏面側ラインの最大偏差（ΔＬ１，ΔＬ２）を、各々、特定することができる。
【００２４】
プラスチック材料としては、好ましくは、ポリプロピレンが採用され、本体部と取手部とが一体成型により製造されるのが好適である。
【考案の効果】
【００２５】
上記した本考案によれば、製造コストを上げることなく、究極的に平坦度を上げて応援グッズとしての価値を高めた団扇を実現することができる。
【図面の簡単な説明】
【００２６】
【図１】本考案を説明する図面である。
【図２】本考案を説明する別の図面である。
【図３】実施例に係る団扇を示す図面である
【図４】別の実施例を説明する図面である
【考案を実施するための形態】
【００２７】
以下、実施例に基づいて本考案を詳細に説明する。図３（ａ）に示す通り、実施例の団扇は、ポリプロピレンによる一体成型品であり、平坦なプラスチック板で形成された略円形で幅広のプラスチック本体部１と、プラスチック本体部１に連続して真っ直ぐに延びる取手部２と、で構成されている。
【００２８】
プラスチック本体部１は、取手部２に接する基端部から先端に向けて直線的に薄肉に形成されて面一の貼着面を形成している。そして、図３（ｂ）に示すように、アイドル写真を描いた表面紙と、これに関連する文字や画像を描いた裏面紙とが、各貼着面に貼着されて完成状態となる。
【００２９】
プラスチック本体部１の板厚Ｔは、最先端位置において最小値ΔＴｍｉｎ＝０．８ｍｍ、基端位置において最大値ΔＴｍａｘ＝１．６ｍｍ程度であり、図１（ｂ）の形状をしている。また、基端から先端までの最短距離Ｄは、１５０ｍｍ程度である（図１（ｂ）参照）。
【００３０】
そして、取手部２の幅方向の中心線を、プラスチック本体部１に延長させた評価線を想定した場合、本体部１の貼着面の表裏面に想定される２本の評価線は、先端部から基端部に向けて２θ≒０．８／１５０ラジアン≒０．３０°の傾斜角で広がっている。
【００３１】
また、プラスチック本体部における任意位置に直径５ｃｍの評価円ＣＲを想定した場合、評価円の直径ラインである表面側ラインと、これに対応する裏面側ラインにレーザ光を走査させて、表面側ラインと裏面側ラインとを特定すると（図２（ｂ）参照）、その最大偏差が０．２ｍｍ以下になるよう構成されている。
【００３２】
そのため、表面紙や裏面紙を貼着した場合にも、十分な平坦性を維持することができる。すなわち、アイドル写真などを貼着した完成状態において、アイドルの表情部分を含んだ部分の最大偏差を０．２ｍｍ以下に管理することができるので、アイドルなどの表情が極めて正確に表示されることになり、応援団扇としての商品価値が極めて高い。
【００３３】
なお、図３（ｃ）は、図示の団扇は、最大横幅が１７ｃｍ程度の団扇において、任意の位置に仮想される直径５ｃｍの評価円ＣＲを図示している。
【００３４】
以上、本考案の実施例について、詳細に説明したが、具体的な記載内容は必ずしも本考案を限定するものではない。
【００３５】
すなわち、上記した応援団扇は、隙間の無い平坦なプラスチック板で形成された本体部１と、本体部２の基端側に連続して真っ直ぐに延びる取手部２とで構成されているが、本体部１の外側に放射状に延びる骨格部３を設けても良い。この場合には、本体部１の外側に骨格部３を設けた分だけ応援団扇を軽量化することができる。
【００３６】
この実施例の場合、本体部１及び骨格部３のほぼ全域にアイドル写真などが貼着されるが、アイドルやキャラクタなどの表情が現われる部分は、必ず本体部１とする。したがって、本体部１と骨格部３の面積割合は、貼着される写真と軽量化などの要請に対応して、適宜に変更される。
【符号の説明】
【００３７】
１  本体部
２  取手部
ＣＲ  評価円
【図１】
0003183810.tif 000003
【図２】
0003183810.tif 000004
【図４】
0003183810.tif 000005
【図３】
0003183810.tif 000006